(57)【要約】【課題】容易に開封可能であり、さらに輪転製袋機を用いて包装袋を製造する場合であっても、異なる機械を用いず簡易に開封用テープを設ける。【解決手段】包装袋１を開封するための開封用テープ１１を、包装袋１の内面であって、蓋版７の一端縁から包装袋本体４の前面版２を介して前面版２に接続された底版８ａの一端縁に至るように、開口部１２の周方向と直交する方向に一直線状に設けた。【選択図】            図１
2005041515.tif 000002
【特許請求の範囲】
【請求項１】
開口部を有する筒状の包装袋本体と、前記包装袋本体の底辺側端縁に接続された底版により構成される底部とを有する包装袋において、
前記包装袋を開封するための開封手段を、前記開口部側から前記包装袋本体を介して前記底版の一端縁に至るように、前記開口部の周方向と交差する方向に直線状に設けたことを特徴とする包装袋。
【請求項２】
前記包装袋本体の頂辺側端縁に接続された蓋版を有し、前記開封手段を、前記蓋版の一端縁から前記包装袋本体を介して前記底版の一端縁に至るように設けたことを特徴とする請求項１に記載の包装袋。
【請求項３】
原反の長さ方向に開封手段を直線状に連続して設け、前記原反を折曲して筒状体を成形し、前記筒状体を所定の長さ寸法に切断して生袋を成形し、前記生袋の頂辺側端部であって前記開封手段を設けた位置に蓋版を形成し、前記生袋の底辺側端部であって前記開封手段を設けた位置に底部を構成する底版を形成することを特徴とする包装袋の製造方法。
【発明の詳細な説明】
【０００１】
【発明の属する技術分野】
本発明は包装袋および包装袋の製造方法に係り、特に開封する場合に好適な包装袋および包装袋の製造方法に関する。
【０００２】
【従来の技術】
従来より、例えば各種の物を郵送または宅配等するため前記物を内部に収容する平袋や角底袋等の包装袋が知られている。このような包装袋は、紙製からなるものの他、耐久性向上等のためにフィルム加工された材料からなるものも多用されている。
【０００３】
前記包装袋について、開口部が封鎖された包装袋を開封する場合、紙製からなる包装袋については手で破る等によって容易に開封することができるが、フィルム加工された材料や厚手の紙からなる包装袋については手によって前記包装袋を破ることは困難である。このため、前記フィルム加工された材料等からなる包装袋を開封する場合には、はさみやカッタ等の道具を利用する必要があり、前記包装袋の開封に手間がかかっていた。
【０００４】
そこで、近年、開口部の近傍に、前記開口部の周方向と平行となるように開封用テープが設けられた包装袋が考えられている。
【０００５】
このような開封用テープ付き包装袋によれば、前記開封用テープをその一端部を摘んで前記開封用テープの他端部方向に引っ張り、前記包装袋の開口部近傍をこの開封用テープに沿って破ることにより、前記包装袋を容易に開封することができるようになっていた。
【０００６】
【発明が解決しようとする課題】
しかし、前記開封用テープが包装袋における開口部の近傍に設けられている場合、この包装袋の開口部を封止するにあたり、例えば前記開封用テープが設けられている箇所が内側となるように前記包装袋の開口部を折曲することにより前記開口部を封鎖してしまうと、前記開封用テープを利用して包装袋を開封することができなくなってしまう。このため、前述のように開口部を封鎖してしまった包装袋については道具を利用して開封しなければならず、結局手間がかかってしまう。
【０００７】
また、前記包装袋は、原反を折曲して筒状体を成形し、この筒状体を所定の長さに切断して生袋を成形し、前記生袋の下端部を折りたたんで底部を成形するいわゆる輪転製袋機によって多く製造されている。しかし、この輪転製袋機によって包装袋を製造する場合、前記開封用テープを前記開口部の周方向と平行となるように設けるには、前記包装袋が完成した後、若しくは前工程にて、異なる機械を用いて前記包装袋に開封用テープを設けなければならなかった。このため、包装袋の製造工程が増加し、前記包装袋の製造に時間および手間がかかり、この結果、包装袋の製造コストも上昇してしまうという問題を有していた。
【０００８】
本発明はこれらの点に鑑みてなされたものであり、容易に開封可能であり、さらに輪転製袋機を用いて包装袋を製造する場合であっても、異なる機械を用いず簡易に開封用テープを設けることができる包装袋および包装袋の製造方法を提供することを目的とする。
【０００９】
【課題を解決するための手段】
前記目的を達成するため、請求項１に記載の発明に係る包装袋の特徴は、開口部を有する筒状の包装袋本体と、前記包装袋本体の底辺側端縁に接続された底版により構成される底部とを有する包装袋において、前記包装袋を開封するための開封手段を、前記開口部側から前記包装袋本体を介して前記底版の一端縁に至るように、前記開口部の周方向と交差する方向に直線状に設けた点にある。
【００１０】
この請求項１に記載の発明に係る包装袋によれば、包装袋の開封手段は、前記包装袋における開口部の周方向と平行にならないように設けられているので、前記包装袋の開口部の近傍を内側に巻き込むようにして封止した場合であっても、前記開封手段をその底版側から引っ張ることにより、前記包装袋を容易に開封することができる。
【００１１】
また、このような包装袋を製造する場合には、原反に開封手段を設けた後、包装袋の他の製造工程を前記開封手段を設ける工程に連続して行うことができるので、いわゆる輪転製袋機によっても、異なる機械を用いることなく、簡易に開封手段を設けることができる。
【００１２】
また、請求項２に記載の発明に係る包装袋の特徴は、前記包装袋本体の頂辺側端縁に接続された蓋版を有し、前記開封手段を、前記蓋版の一端縁から前記包装袋本体を介して前記底版の一端縁に至るように設けた点にある。
【００１３】
この請求項２に記載の発明に係る包装袋によれば、開封手段の蓋版側の端部が露出するように開口部を封止した場合には、前記蓋版側の端部および前記底版側の端部の両方から開封手段を引っ張ることにより、前記包装袋を開口部の周方向と交差する方向に容易に破ることができる。
【００１４】
さらに、請求項３に記載の発明に係る包装袋の製造方法の特徴は、原反の長さ方向に開封手段を一直線状に連続して設け、前記原反を折曲して筒状体を成形し、前記筒状体を所定の長さ寸法に切断して生袋を成形し、前記生袋の頂辺側端部であって前記開封手段を設けた位置に蓋版を形成し、前記生袋の底辺側端部であって前記開封手段を設けた位置に底部を構成する底版を形成する点にある。
【００１５】
この請求項３に記載の発明に係る包装袋の製造方法によれば、原反に開封手段を設けた後、包装袋の他の製造工程を前記開封手段を設ける工程に連続して行うことができるので、いわゆる輪転製袋機によっても、異なる機械を用いることなく、簡易に包装袋に開封手段を設けることができる。
【００１６】
【発明の実施の形態】
以下、本発明に係る包装袋の一実施形態を図１から図８を参照して説明する。
【００１７】
図１および図２は、本実施形態に係る包装袋を示す斜視図である。
【００１８】
図１および図２に示すように、本包装袋１は、フィルム加工された材料や紙等からなる前面版２および後面版３を有する筒状の包装袋本体４を有し、前記包装袋本体４における前記前面版２と前記後面版３との間は、Ｖ字状に折り畳まれてガゼット５が形成されている。また、前記前面版２における頂辺側端縁には、四角形状の蓋版７が接続されており、前記包装袋本体４の底辺側端縁には、前記前面版２、前記後面版３およびガゼット５の底辺側端縁に接続された底版８を折曲して形成された底部としての四角状の角底９が接続されている。
【００１９】
また、前記包装袋１は、前記包装袋１の内面であって前記蓋版７の一端縁から前記前面版２を介してこの前面版２に接続されている底版８ａの一端縁に至る位置に、開封手段として合成樹脂製等からなる開封用テープ１１が前記包装袋１の開口部１２の周方向と交差する方向（本実施形態においては直交する方向）に設けられている。
【００２０】
前記蓋版７における前記開封用テープ１１の蓋版端部１１ａ近傍、および前記底版８ａにおける前記開封用テープ１１の底版端部１１ｂ近傍には、前記開封用テープ１１の両側辺に沿うようにそれぞれ切込み１４が形成されている。これら各切込み１４により、前記開封用テープ１１の蓋版端部１１ａおよび底版端部１１ｂを容易に摘むことができるようになっている。
【００２１】
そして、前記包装袋１は、前記開封用テープ１１をその蓋版端部１１ａおよび、または底版端部１１ｂから他端部側に引っ張り、前記包装袋１の前面版２をこの開封用テープ１１に沿って破ることにより、前記包装袋１を前記開口部１２の周方向と直交する方向に開口させて開封することができるようになっている。
【００２２】
また、前記蓋版７の内面には、粘着シート１６とこの粘着シート１６の一面を被覆する剥離シート１７とからなる封止用シート１８が、前記粘着シート１６の他面が前記蓋版７の内面に接するように貼着されている。この封止用シート１８は、前記剥離シート１７を前記粘着シート１６から剥離し、前記粘着シート１６を前記包装袋本体４の後面版３等に貼着することにより前記包装袋１の開口部１２を封止することができるようになっている。
【００２３】
次に、本包装袋の製造方法について説明する。
【００２４】
図３は、前記包装袋１の製造工程における開封用テープ１１の貼着から筒状体２５の成形までを示す概念図であり、図４は、生袋２９の成形から前記包装袋１の完成までを示す概念図である。
【００２５】
まず、図３に示すように、包装袋１の原材料となる原反２０を繰り出して、前記原反２０における蓋版７、前面版２およびこの前面版２に接続する底版８ａに相当する位置に開封用テープ１１を一直線状に貼着する。このとき、前記開封用テープ１１は、前記原反２０における隣接して次に形成される包装袋１の前記蓋版７、前記前面版２および前記底版８ａに対して連続して貼着される。
【００２６】
続いて、前記原反２０における前記蓋版７に相当する位置に、前記開封用テープ１１の上側から前記封止用シート１８を貼着する。
【００２７】
次に、カッタ２１を前記原反２０における前記蓋版７および前記底版８ａの一端縁部分に相当する位置に前記開封用テープ１１の両側辺に沿うように当接させることにより、切込み１４を形成する。このとき、前記底版８ａおよびこの底版８ａに隣接し次に形成される包装袋１の蓋版７に相当する位置に前記カッタ２１を連続して当接させることによって、前記カッタ２１の１回の当接動作により同時に前記底版８ａおよび前記蓋版７の切込み１４を形成する。
【００２８】
さらに、前記原反２０の一側縁に接着材２３を塗布し、前記原反２０における前面版２と後面版３となる部分の境界にそれぞれガゼット５を形成した後、前記原反２０の一側縁と他側縁とを前記接着材２３により接着してガゼット５を有する筒状体２５を成形する。
【００２９】
続いて、前記筒状体２５における各包装袋１の境界部、すなわち１つの包装袋１の底版８の一端縁であってかつ次に形成される包装袋１の蓋版７および後面版３頂辺側端縁に接続する切り捨て版２７の一端縁に相当する位置にカッタを当接させて前記底版８と前記蓋版７および前記切り捨て版２７とを切断する。これにより、図４に示すように、前記包装袋１の原型である生袋２９を成形する。
【００３０】
そして、前記生袋２９の底版８を折曲し、前面版２に接続する底版８ａと後面版３に接続する底版８ｂとの一端部を接着して角底９を形成し、図示しないエッジカッタを前面版２に接続する蓋版７と後面版３に接続する切り捨て版２７における包装袋１の幅方向の両側部に当接させることによって前記蓋版７および前記切り捨て版２７の両側部を切断する。
【００３１】
その後、図示しないハーフカッタを後面版３と切り捨て版２７との境界に当接させることによって、前記蓋版７のみを残し前記切り捨て版２７を切断することにより、開封用テープ１１が設けられたガゼット５を有する角底９の蓋版７付き包装袋１を完成させる。
【００３２】
本実施形態によれば、前述のように、原反２０に開封用テープ１１を貼着した後、包装袋１の他の製造工程を前記開封用テープ１１の貼着工程に連続して行うことができる。
【００３３】
したがって、いわゆる輪転製袋機において開封用テープ１１が設けられた包装袋１を製造する場合であっても、異なる機械を用いることなく、簡易に開封用テープ１１を設けることができる。これにより、包装袋１の製造コストの低廉化を図ることもできる。
【００３４】
また、本包装袋１は、前記包装袋１における開口部１２の周方向と直交する方向に配置されるように開封用テープ１１が設けられているので、図５に示すように、前記包装袋１の開口部１２を前記開封用テープ１１の蓋版端部１１ａを内側に巻き込むようにしてガムテープ３１等により封止した場合であっても、前記開封用テープ１１をその底版端部１１ｂから引っ張ることにより、前記包装袋１を容易に開封することができる。さらに、図６に示すように、前記開封用テープ１１の蓋版端部１１ａが露出するように前記開口部１２を前記粘着シート１６を用いて封止した場合には、前記蓋版端部１１ａおよび前記底版端部１１ｂの両方から開封用テープ１１を引っ張ることにより、前記包装袋１の前面版２を開口部１２の周方向と直交する方向に容易に破ることができる。これにより、前記包装袋１を大きく開口させて包装袋１の内部の収容物を容易かつ迅速に確認することができる。
【００３５】
なお、本発明は前記実施形態に限定されるものではなく、必要に応じて種々変更することが可能である。
【００３６】
例えば、本発明に係る包装袋１の製造工程の順番は本実施形態のものに限定されず、例えば原反２０に開封用テープ１１を貼着したのに切込み１４を形成してから封止用シート１８を貼着してもよく、また切り捨て版２７を後面版３から切断した後、角底９を形成する等種々の変更が可能である。
【００３７】
また、開封手段は本実施形態の開封用テープ１１に限定されず、例えば２本の切断線等により構成してもよい。
【００３８】
さらに、本発明に係る包装袋１は、ガゼット５を有する角底９の包装袋１に限定されず、開口部１２を備えた包装袋本体４と底版８によって構成される底部とを有する包装袋１であれば、例えば図７（ａ）（ｂ）に示すような平袋３３、または図８に示すようなガゼット５を有する平袋３４等の種々の包装袋１に用いることができる。
【００３９】
【発明の効果】
以上述べたように、本発明に係る包装袋および包装袋の製造方法によれば、包装袋の開口部を開封手段の蓋版側の端部を内側に巻き込むようにして封止した場合であっても、前記開封手段をその底版側の端部から引っ張ることにより、前記包装袋を容易に開封することができる。
【００４０】
また、開封手段の蓋版側の端部が露出するように開口部を封止した場合には、蓋版側の端部および底版側の端部の両方から開封手段を引っ張ることにより、包装袋を開口部の周方向と直交する方向に容易に破ることができる。これにより、包装袋を大きく開口させて包装袋の内部の収容物を容易かつ迅速に確認することができる。
【００４１】
また、原反に開封手段を設けた後、包装袋の他の製造工程を前記開封手段を設ける工程に連続して行うことができるので、いわゆる輪転製袋機によっても、異なる機械を用いることなく、簡易に包装袋に開封手段を設けることができる。
【図面の簡単な説明】
【図１】本発明に係る包装袋の一実施形態を示す裏面側からの斜視図
【図２】図１の包装袋を示す正面側からの斜視図
【図３】図１の包装袋の製造工程における開封用テープの貼着から筒状体の成形までを示す概念図
【図４】図１の包装袋の製造工程における生袋の成形から前記包装袋の完成までを示す概念図
【図５】図１の包装袋の開口部を封止した場合の一例を示す斜視図
【図６】図１の包装袋の開口部を封止した場合の他例を示す斜視図
【図７】（ａ）本発明に係る包装袋の他の実施形態を示す正面図
（ｂ）図７（ａ）の包装袋を示す裏面図
【図８】本発明に係る包装袋の他の実施形態を示す裏面側からの斜視図
【符号の説明】
１  包装袋
２  前面版
３  後面版
４  包装袋本体
５  ガゼット
７  蓋版
８ａ  前面版に接続する底版
８ｂ  後面版に接続する底版
９  角底
１１  開封用テープ
１１ａ  蓋版端部
１１ｂ  底版端部
１２  開口部
１４  切込み
１８  封止用シート
【図１】
2005041515.tif 000003
【図２】
2005041515.tif 000004
【図３】
2005041515.tif 000005
【図４】
2005041515.tif 000006
【図５】
2005041515.tif 000007
【図６】
2005041515.tif 000008
【図７】
2005041515.tif 000009
【図８】
2005041515.tif 000010